(57)【要約】【課題】本発明は、非発光表示素子あるいは透光性表示体を照明する直下型の面照明装置において、比較的簡易な構造で生産性に優れると共に、光源光の利用効率の向上で輝度が高く且つ輝度分布の均一性が良好な、光学的にも優れた特性を有する面照明装置を提供することにある。【解決手段】棒状光源２の両側方に光学的に最適化された面を有する略板状のプリズムレンズ３を配設し、棒状光源２およびプリズムレンズ３の上方に順次光拡散板５、光拡散シート６およびプリズムシート７からなる配光制御ユニット１６を配設し、棒状光源２およびプリズムレンズ３の下方に棒状光源側の面を反射面８とするリフレクタ４を配設した。【選択図】図１
2008181698.tif 000002
【特許請求の範囲】
【請求項１】
単数または平行に並設された複数の棒状光源と、
前記夫々の棒状光源の両側方に位置するプリズムレンズと、
前記棒状光源および前記プリズムレンズの少なくとも下方に位置し、前記棒状光源側の面を反射面とするリフレクタと、
前記棒状光源および前記プリズムレンズの上方に位置する配光制御ユニットを備えた面照明装置であって、
前記プリズムレンズの前記配光制御ユニット側の面は、前記プリズムレンズを前記棒状光源の長手方向に垂直な面で切断したときの断面形状が複数の連続する三角形で、前記断面複数の連続する三角形を前記棒状光源の長手方向に延長した連続三角柱面を呈しており、前記連続三角柱面の頂点同士を含む平面は、前記棒状光源の中心を含み前記連続三角柱面の頂点同士を含む平面に平行な面に対して前記棒状光源の曲率半径の１／２以内の距離に位置すると共に、前記配光制御ユニットの前記棒状光源側の面および前記リフレクタの前記反射面に対して略平行であることを特徴とする面照明装置。
【請求項２】
前記連続三角柱面の頂点同士を含む平面は、前記棒状光源の中心を含み前記連続三角柱面の頂点同士を含む平面に略平行な面に対して同一平面となることを特徴とする請求項１に記載の面照明装置。
【請求項３】
前記プリズムレンズの前記棒状光源に対向する側の面は、前記プリズムレンズを前記棒状光源の長手方向に垂直な面で切断したときの断面形状が凹曲線で、前記断面凹曲線を前記棒状光源の長手方向に延長した凹柱面を呈していることを特徴とする請求項１または２のいずれか１項に記載の面照明装置。
【請求項４】
前記断面凹曲線は円弧であり、前記円弧の中心を通り前記プリズムレンズの断面連続する三角形の頂点同士を通る直線に平行な直線は、前記棒状光源の中心を通り前記プリズムレンズの断面連続する三角形の頂点同士を通る直線に平行な直線に対して、前記プリズムレンズの前記連続三角柱面の頂点同士を含む平面と前記プリズムレンズの前記連続三角柱面の頂点同士を含む平面と反対側の面との最大距離の１／２以内の距離の前記リフレクタの前記反射面側に位置することを特徴とする請求項３に記載の面照明装置。
【請求項５】
前記プリズムレンズの前記連続三角柱面の反対側の面は、前記リフレクタの前記反射面に対して前記棒状光源から離れる方向に向かって所定の角度で立ち上がる平面であることを特徴とする請求項１〜４に記載の面照明装置。
【請求項６】
前記角度は１８°〜２０°の範囲であることを特徴とする請求項５に記載の面照明装置。
【請求項７】
前記配光制御ユニットは、光拡散板、光拡散シートおよびプリズムシートのうち少なくとも１つを備えていることを特徴とする請求項１〜６のいずれか１項に記載の面照明装置。
【発明の詳細な説明】
【技術分野】
【０００１】
本発明は、面照明装置に関するものであり、詳しくは、いわゆる直下型と呼ばれる面照明装置に関する。
【背景技術】
【０００２】
従来、液晶表示パネル等の非発光表示素子あるいは看板、写真フィルム等の透光性表示体の照明用光源となる面照明装置として、導光板の側面から入射した光で該導光板の平面側に載置された非発光表示素子あるいは透光性表示体を照射する、いわゆるサイドライト型と呼ばれる面照明装置と、光拡散板の一方の平面側から入射した光で該光拡散板の他方の平面側に載置された非発光表示素子あるいは透光性表示体を照射する、いわゆる直下型と呼ばれる面照明装置がある。
【０００３】
前者のサイドライト型の面照明装置は、光源を導光板の側面に沿って配設するために面照明装置の厚みを薄くできるという利点はあるが、導光板の光出射面から出射する光は、光源からの直接光ではなく、光源から出射して導光板内を導光されたところの少なくとも１回の反射を伴う間接光である。
【０００４】
その結果、光源から光拡散板までの光路長が長く、且つ光路中に反射面（鏡面反射面、拡散反射面、全反射面等）が介在するために導光損失および反射損失等によって光の利用効率が低下し、輝度の低い照明装置となってしまうという問題点を有している。
【０００５】
これに対し、後者の直下型の面照明装置は、光拡散板の一方の面側に配設された光源からの直接光が光拡散板に照射されるために、サイドライト型の面照明装置に比べて導光板が不要で且つ光源から光拡散板までの光路長を短縮でき、照明装置の軽量化と共に光の利用効率の向上による高輝度化が実現できるという利点を有している。
【０００６】
但し、直下型の面照明装置は、光源が点状光源あるいは線状光源の場合、光源から光拡散板までの最短距離と最長距離の間の距離差が大きく、この空間伝播光路差のために、光拡散板の光源光の被照射領域に形成される照射光量分布の照度勾配が極めて大きなものとなる。つまり、光拡散板の光源光の被照射領域において、光源光の照射光量は光源の直上近傍が最高となり、光源の直上近傍から離れるにつれて急速に減衰するという、照射光量分布の不均一性の問題点を有している。
【０００７】
そこで、直下型の利点を生かすと共に欠点を抑制して、高輝度で輝度均一性の高い面照明装置を実現する方法が提案されている。具体的な方法は、面照明装置を構成するリフレクタの反射面を最適化するもの、光拡散板を最適化するもの等がある。
【０００８】
反射面の最適化の例としては、反射面の断面形状を放物線と直線とし、放物線の焦点位置に光源を配置したものであり、光源からの直接光、光源から発せられて断面放物線となる放物柱面で反射された平行反射光、および光源から発せられて断面直線となる平面で反射された反射光を、光源およびリフレクタの上方に位置する光拡散板に入射させることによって、光拡散板に入射する光の輝度むらを抑制するようにしたものがある（例えば、特許文献１参照。）。
【０００９】
また、反射面の最適化の他の例として、光源の下方に位置するリフレクタの反射面の断面形状を、光源直下が凹形状の余弦関数曲線とし、光源からの直接光による輝度むらを反射板からの反射光で打消すことによって、光源およびリフレクタの上方に位置する光拡散板に入射する光の輝度分布を均一化するようにしたものもある（例えば、特許文献２参照。）。
【００１０】
更に、反射面の最適化の他の例として、光源の下方に位置するリフレクタの反射面の断面形状を、互いに隣接する光源の間に位置する凸形状の三角形と直線とし、光源から発せられて断面直線の平面で反射した光が断面三角形の三角柱面で反射して光源およびリフレクタの上方に位置する光拡散板の光源間の領域に入射することによって、光拡散板に入射する光の輝度むらを低減させるようにしたものもある（例えば、特許文献３参照。）。
【００１１】
一方、光拡散板の最適化の例としては、光源およびリフレクタの上方に位置する光拡散板の光源側の面を断面形状が凸形状の連続する三角形とし、光源から発せられた光を光拡散板の光入射面となる断面三角形の三角柱面に垂直な角度で入射させることによって、光拡散板の光出射面の輝度を重点的に向上させるようにしたのがある（例えば、特許文献４参照。）。
【特許文献１】特開２００５−１５００３７号公報
【特許文献２】特開２００１−１３８８０号公報
【特許文献３】特開２００２−１２２８６３号公報
【特許文献４】特開平４−１９４８２１号公報
【発明の開示】
【発明が解決しようとする課題】
【００１２】
しかしながら、上記「特許文献１」〜「特許文献４」で提案された方法は、光源と光源の上方に位置する光拡散板の距離を一定にした状態で互いに隣接する光源同士の間隔を広げた場合、および、互いに隣接する光源同士の間隔を一定にした状態で光源と光源の上方に位置する光拡散板の距離を短縮した場合、のいずれにおいても光源から発せられて光拡散板に入射する光の輝度むらが顕著になるという共通の問題を有している。
【００１３】
その結果、上記構成の従来の面照明装置は、寸法、形状、光源数などの制約によって面照明装置の光出射面となる、光拡散板の光源の反対側の面において、所望の輝度および輝度分布の均一性などの光学特性が得られない可能性がある。
【００１４】
従って、上記いずれの面照明装置においても、光源直上近傍の輝度が最も高く、光源の直上近傍から離れるにつれて輝度が低下していく輝度勾配が形成され、面内輝度分布の均一性が損なわれて所望する輝度分布の均一化が難しいという問題点は依然として残る。
【００１５】
そこで、本発明は上記問題に鑑みて創案なされたもので、その目的とするところは、非発光表示素子あるいは透光性表示体を照明する直下型の面照明装置において、比較的簡易な構造で生産性に優れると共に、光源光の利用効率の向上で輝度が高く且つ輝度分布の均一性が良好な、光学的にも優れた特性を有する面照明装置を提供することにある。
【課題を解決するための手段】
【００１６】
上記課題を解決するために、本発明の請求項１に記載された発明は、単数または平行に並設された複数の棒状光源と、
前記夫々の棒状光源の両側方に位置するプリズムレンズと、
前記棒状光源および前記プリズムレンズの少なくとも下方に位置し、前記棒状光源側の面を反射面とするリフレクタと、
前記棒状光源および前記プリズムレンズの上方に位置する配光制御ユニットを備えた面照明装置であって、
前記プリズムレンズの前記配光制御ユニット側の面は、前記プリズムレンズを前記棒状光源の長手方向に垂直な面で切断したときの断面形状が複数の連続する三角形で、前記断面複数の連続する三角形を前記棒状光源の長手方向に延長した連続三角柱面を呈しており、前記連続三角柱面の頂点同士を含む平面は、前記棒状光源の中心を含み前記連続三角柱面の頂点同士を含む平面に略平行な面に対して前記棒状光源の曲率半径の１／２以内の距離に位置すると共に、前記配光制御ユニットの前記棒状光源側の面および前記リフレクタの前記反射面に対して略平行であることを特徴とするものである。
【００１７】
また、本発明の請求項２に記載された発明は、請求項１において、前記連続三角柱面の頂点同士を含む平面は、前記棒状光源の中心を含み前記連続三角柱面の頂点同士を含む平面に略平行な面に対して同一平面となることを特徴とするものである。
【００１８】
また、本発明の請求項３に記載された発明は、請求項１または２のいずれか１項において、前記プリズムレンズの前記棒状光源に対向する側の面は、前記プリズムレンズを前記棒状光源の長手方向に垂直な面で切断したときの断面形状が凹曲線で、前記断面凹曲線を前記棒状光源の長手方向に延長した凹柱面を呈していることを特徴とするものである。
【００１９】
また、本発明の請求項４に記載された発明は、請求項３において、前記断面凹曲線は円弧であり、前記円弧の中心を通り前記プリズムレンズの断面連続する三角形の頂点同士を通る直線に平行な直線は、前記棒状光源の中心を通り前記プリズムレンズの断面連続する三角形の頂点同士を通る直線に平行な直線に対して、前記プリズムレンズの前記連続三角柱面の頂点同士を含む平面と前記プリズムレンズの前記連続三角柱面の頂点同士を含む平面と反対側の面との最大距離の１／２以内の距離の前記リフレクタの前記反射面側に位置することを特徴とするものである。
【００２０】
また、本発明の請求項５に記載された発明は、請求項１〜４のいずれか１項において、前記プリズムレンズの前記連続三角柱面の反対側の面は、前記リフレクタの前記反射面に対して前記棒状光源から離れる方向に向かって所定の角度で立ち上がる平面であることを特徴とするものである。
【００２１】
また、本発明の請求項６に記載された発明は、請求項５において、前記角度は１８°〜２０°の範囲であることを特徴とするものである。
【００２２】
また、本発明の請求項７に記載された発明は、請求項１〜６のいずれか１項において、前記配光制御ユニットは、光拡散板、光拡散シートおよびプリズムシートのうち少なくとも１つを備えていることを特徴とするものである。
【発明の効果】
【００２３】
本発明の面照明装置は、棒状光源の両側方に光学的に最適化された面を有する略板状のプリズムレンズを配設し、棒状光源およびプリズムレンズの上方に配光制御ユニットを配設し、棒状光源およびプリズムレンズの下方に棒状光源側の面を反射面とするリフレクタを配設した。
【００２４】
そして、棒状光源から発せられて棒状光源の側方に向かう光をプリズムレンズ内に入射させ、プリズムレンズ内に入射した光をプリズムレンズの最適化された面によって最短距離で上方に位置する配光制御ユニットに到達するようにした。
【００２５】
その結果、比較的簡易な構造で生産性に優れると共に、光源光の利用効率の向上で高輝度且つ高い輝度均一性を容易に得ることができ、光学的にも優れた特性を有する面照明装置を実現することができた。
【発明を実施するための最良の形態】
【００２６】
以下、この発明の好適な実施形態を図１から図６を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２７】
図１は本発明の面照明装置に係わる実施形態の斜視図である。面照明装置１は棒状の光源２と、棒状光源２の周囲近傍で分割された略板状のプリズムレンズ３と、光源２およびプリズムレンズ３の下方に位置するリフレクタ４と、光源２およびプリズムレンズ３の上方に光源２側から順次位置する光拡散板５、光拡散シート６およびプリズムシート７で構成された配光制御ユニット１６からなっている。
【００２８】
そのうち、棒状光源２は、従来、細径化の容易さ、長寿命、低コストといった理由から冷陰極蛍光ランプが使用されてきたが、本実施形態においては発光効率の高さから熱陰極蛍光ランプを採用した。勿論、冷陰極蛍光ランプを使用してもよい。
【００２９】
また、リフレクタ４は、面照明装置のケースの一部（底部）を兼ねており、内側（光源２側）の面は反射率および光拡散性を向上させるために光拡散剤を塗布した拡散反射面８となっている。
【００３０】
プリズムレンズ３はアクリル樹脂やポリカーボネート樹脂等の透光性樹脂材料からなる光学部材であり、その断面形状は図２に示すように、曲率半径をＲとする凹状円弧９と、凹状円弧９の一方の端部から延びる、夫々の頂角αを９０°とする複数の連続する三角形１０と、凹状円弧９の他方の端部から延びる、前記三角形１０の頂点同士を結ぶ直線Ａとのなす角βを１８〜２０°とする直線１１で構成されている。
【００３１】
そして、プリズムレンズ３の全体形状は、前記凹状円弧９、連続する三角形１０、および直線１１の夫々を同一方向に延長した略板状を呈している。従って、プリズムレンズ３の少なくとも１つの端面は断面凹状円弧９を延長した、曲率半径をＲとする円弧柱面１２を形成しており、対向する一対の面のうち一方の面は、断面連続三角形１０を延長した、夫々の頂角αを９０°とする連続三角柱面１３を形成しており、対向する一対の面のうち他方の面は、断面直線を延長した、連続三角柱面１３の夫々の頂点を含む平面とのなす角βを１８〜２０°とする平面１４を形成している。
【００３２】
次に、面照明装置の構成を図３を参照して具体的に説明する。なお、面照明装置には複数の光源が設けられることが多いが、ここでは、１つの光源近傍の構成について説明する。光源が複数の場合は、以下に説明する構成を夫々の光源毎に適用することによって面照明装置全体の構成となる。
【００３３】
棒状光源２の両側にプリズムレンズ３が、該プリズムレンズ３の１つの端面となる円弧柱面１２が棒状光源２に沿うように配置されている。光源２とプリズムレンズ３の位置関係は、棒状光源２の中心Ｐを通る直線Ｙからプリズムレンズ３の円弧柱面１２までの最長距離Ｌが、棒状光源２の外周円の半径ｒの１．５倍〜２．０倍であることが望ましい。つまり、ｒ×１．５≦Ｌ≦ｒ×２の関係が成り立つことが望ましい。
【００３４】
それと同時に、棒状光源２の中心Ｐを含んで直線Ｙに垂直な平面Ｘｐからプリズムレンズ３の連続三角柱面１３の全ての頂点を含む平面Ｔｐまでの距離が、棒状光源２の外周円の半径ｒの１／２以内であることが望ましい。つまり、平面Ｘｐの位置を０、一方の側を＋領域、他方の側を−領域とすると、Ｘｐ−（ｒ／２）≦Ｔｐ≦Ｘｐ＋（ｒ／２）の関係が成り立つことが望ましい。
【００３５】
また、プリズムレンズ３の断面凹状円弧９の曲率半径Ｒは棒状光源２の外周円の曲率半径ｒの２倍程度が望ましい。
【００３６】
更に、プリズムレンズ３の断面凹状円弧９の中心は棒状光源２の中心に対して、プリズムレンズ３の連続三角柱面１３の頂点同士を含む平面とプリズムレンズ３の連続三角柱面１３の頂点同士を含む平面と反対側の平面１４との最大距離の１／２以内の距離のリフレクタ４の反射面８側に位置している。
【００３７】
なお、光源の外周面の形状とプリズムレンズの光源に対向する側の端面の形状は必ずしも円形状である必要はなく、互いの形状が相似形でプリズムレンズの端面が光源の外周面の２倍程度の大きさであればよい。
【００３８】
そして、光源２およびプリズムレンズ３の上方に、プリズムレンズ３の連続三角柱面１３の全ての頂点を含む平面Ｔｐに平行に、順次光拡散板５、光拡散シート６、およびプリズムシート７で構成された配光制御ユニット１６が配設されており、プリズムシート７の光源２と反対側の面は、プリズムレンズ３と同様に連続三角柱面が形成されている。
【００３９】
また、光源２およびプリズムレンズ３の下方に、プリズムレンズ３の連続三角柱面１３の全ての頂点を含む平面Ｔｐに平行にリフレクタ４の拡散反射面８が位置している。リフレクタ４は上述したように、面照明装置のケースの一部とすることも可能である。
【００４０】
上記構成の面照明装置において、図４に示すように、光源２を線状光源とし、線状光源は棒状光源２の中心Ｐに位置するものとすると、線状光源から該線状光源を通る直線Ｙ（棒状光源の直上方向）に対して０〜５５°の範囲内の角度で出射した光線Ｂ１は直接上方に位置する光拡散板５の光入射面１５に至る。
【００４１】
光拡散板５の光入射面１５における光線Ｂ１の到達位置は、棒状光源２の中心Ｐを通る直線Ｙから互いに隣接する前記棒状光源同士の間隔の半分の距離の位置である。
【００４２】
また、線状光源からプリズムレンズ３の円弧柱面１２に向かって出射した光線Ｂ２、Ｂ３は共に円弧柱面１２で屈折してプリズムレンズ３内に入射し、プリズムレンズ３内を導光されて平面１４に至る。プリズムレンズ３の平面１４に至った光線Ｂ２、Ｂ３のうち、平面１４に対して臨界角以上の角度で平面１４に到達した光線Ｂ２はプリズムレンズ３の平面１４で反射（全反射）されて上方の連続三角柱面１３に向かい、プリズムレンズ３内を導光されて連続三角柱面１３で配光制御されてプリズムレンズ３から出射し、更に上方に位置する光拡散板５の光入射面１５に至る。
【００４３】
一方、プリズムレンズ３の平面１４に至った光線Ｂ２、Ｂ３のうち、平面１４に対して臨界角よりも小さい角度で平面１４に到達した光線Ｂ３はプリズムレンズ３の平面１４で屈折してプリズムレンズ３から出射し、下方に位置するリフレクタ４の拡散反射面８に至る。拡散反射面８に至った光線Ｂ３は拡散反射面８で反射されて上方に位置するプリズムレンズ３の平面１４に戻り、平面１４で屈折されて再度プリズムレンズ３内に入射し、プリズムレンズ３内を導光されて連続三角柱面１３で配光制御されてプリズムレンズ３から出射し、更に上方に位置する光拡散板５の光入射面１５に至る。
【００４４】
そして、光拡散板５の光入射面１５に至った、光源からの直接光、光源から発せられてプリズムレンズ３によって反射された反射光、および光源から発せられてリフレクタ４の拡散反射面８で反射された反射光の夫々は、面照明装置の輝度分布を制御する光拡散板５、光拡散シート、およびプリズムシート７を順次導光されてプリズムシート７の連続三角柱面１３から外部に出射する。
【００４５】
この場合、プリズムレンズ３の平面１４はリフレクタ４の拡散反射面８に対する角度θが１８°〜２０°の範囲内で傾斜しており、プリズムレンズ３の平面１４に対する線光源方向の仰角は比較的小さい。そのため、光源から発せられてプリズムレンズ３の円弧柱面１２からプリズムレンズ３内に入射してプリズムレンズ３内を導光されて平面１４に至った光線の多くは臨界角よりも大きな角度となるため全反射光となる。従って、光源２から出射してプリズムレンズ３の平面１４で反射される光の光量と光源２から出射してリフレクタ４の拡散反射面８で反射される光の光量を比べた場合、プリズムレンズ３の平面１４で全反射される光の方が極めて多い。
【００４６】
ところで、光源２から発せられた光が光拡散板５の光入射面１５に至るまでの光路長は、光源２からの直接光Ｂ１が一番短く、次に短いのがプリズムレンズ３の平面１４で全反射される光線Ｂ２であり、一番長い光路を辿るのはリフレクタ４の拡散反射面８で反射される光線Ｂ３である。これを、上記光量比較と照らし合わせると、光路長の短い光線Ｂ１とＢ２に対して、光路長の長いＢ３の光線は非常に少ない。
【００４７】
従って、光源２から発せられた光のうち、その多くは光拡散板５の光入射面１５までの光路長が短いために光路の損失が少なく、高い光の利用効率によって高輝度の面照明装置が実現する。
【００４８】
更に、一番長い光路を辿る光線Ｂ３も最終的には光拡散板５の光入射面１５に到達し、面照明装置の照明光として寄与するため、照明装置の高輝度化を促進することになる。
【００４９】
また、反射光である光線Ｂ２、Ｂ３は共に、プリズムレンズ３から出射するときに連続三角柱面１３で配光制御されて光拡散板５の光入射面１５に到達する。そのため、光拡散板５の光入射面１５では照射分布が均一化され、輝度むらの少ない面照明装置が実現する。
【実施例】
【００５０】
図５は本発明の面照明装置に係わる実施例の断面図である。基本構成は図３と同様であり、面照明装置１の光出射面の寸法は、棒状光源２の長手方向（紙面の奥行き方向）が３６０ｍｍ、棒状光源２の長手方向に垂直な方向が２１０ｍｍである。光源２は管径がφ８ｍｍの熱陰極蛍光ランプ（全光束６４２ｌｍ）を３本７０ｍｍの間隔で配設した。光拡散板５はＲＭ８０３（住友化学株式会社製）、光拡散シート６はＢＳ７０２（恵和株式会社製）、プリズムシート７はＲＢＥＦ（住友スリ−エム株式会社製）を使用した。リフレクタ４の光源２と対向する側の面を酸化チタン微粒子を塗布した反射率を９０％以上の拡散反射面８とした。プリズムレンズ３は材質がアクリルで、図２に示す形状とした。
【００５１】
図６は上記実施例の構成からプリズムレンズを取り除いた構成の比較例を示している。
【００５２】
上記実施例と比較例の輝度むらを比較実験した結果、比較例の輝度むらが±４．２％であったのに対し、実施例の輝度むらは±２．４％となり、比較例の輝度むらの５０％程度低減することが可能であることを確認した。
【００５３】
以上説明したように、本発明の面照明装置は、棒状光源の両側方にプリズムレンズを配設し、棒状光源から発せられて棒状光源の側方に向かう光をプリズムレンズ内に入射させ、プリズムレンズ内に入射した光をプリズムレンズの最適化された面によって最短距離で上方に位置する配光制御ユニットに到達するようにした。
【００５４】
この場合、プリズムレンズのレンズ面を、棒状光源に対向する端面を円弧柱面、一方の面を連続三角柱面、他方の面を連続三角柱面の夫々の頂点を含む平面とのなす角を１８〜２０°とする平面として最適化を行なった。
【００５５】
その結果、棒状光源から発せられて配光制御ユニットに至る光の照射光量および照射分布の均一性が向上し、高輝度で輝度むらの少ない面照明装置を実現することが可能となった。
【００５６】
なお、棒状光源から出射されてプリズムレンズ内を導光されて配光制御ユニットに至った光は、光拡散板、光拡散シート、およびプリズムシートなどを導光されて面照明装置の光出射面から外部に出射されるが、面照明装置の光出射面における輝度分布は光拡散板、光拡散シート、およびプリズムシートなどの夫々が有する光学特性によって異なるものとなる。
【００５７】
また、配光制御ユニットを構成する光拡散シートは光の拡散度を高めて面輝度分布の均一性を向上させ、プリズムシートは集光性を高めて照明輝度を向上させる機能を有するものであり、場合によっては面照明装置に求められる光学仕様に基づいて削除される場合もある。反対に、プリズムシート以外の光学フィルムを追加したり、あるいはプリズムシートに替わる他の光学フィルムを用いる場合もある。
【図面の簡単な説明】
【００５８】
【図１】本発明の面照明装置の斜視図である。
【図２】本発明の面照明装置に係わるプリズムレンズの断面図である。
【図３】本発明の面照明装置の部分断面図である。
【図４】本発明の面照明装置の光路を示す概略図である。
【図５】本発明の面照明装置に係わる実施例の断面図である。
【図６】本発明の面照明装置に係わる比較例の断面図である。
【符号の説明】
【００５９】
１    面照明装置
２    光源
３    プリズムレンズ
４    リフレクタ
５    光拡散板
６    光拡散シート
７    プリズムシート
８    拡散反射面
９    円弧
１０    三角形
１１    直線
１２    円弧柱面
１３    連続三角柱面
１４    平面
１５    光入射面
１６    配光制御ユニット
【図１】
2008181698.tif 000003
【図２】
2008181698.tif 000004
【図３】
2008181698.tif 000005
【図４】
2008181698.tif 000006
【図５】
2008181698.tif 000007
【図６】
2008181698.tif 000008